【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
ワイヤレス通信システム上での競合ベースの通信の少なくとも一部分のために使用される無認可無線周波数スペクトル帯域における、ユーザ機器によるワイヤレス通信の方法であって、
競合ベースの周波数スペクトル上の基準信号を受信することと、
前記基準信号に基づいて信号パラメータを測定することと、
前記基準信号の品質を推定することと、
前記基準信号の前記品質が所定の品質しきい値を超えていると決定することと、
前記基準信号の前記品質が前記所定の品質しきい値を超えていると前記決定することに応答して、基地局に報告するために前記信号パラメータを処理することと
を備える、方法。
【請求項２】
前記処理することが、
最後の有効な信号パラメータ以降の時間期間を決定することと、
前記時間期間が最小しきい値を超えることに応答して、有効な信号パラメータとして前記信号パラメータを識別することと
を含む、請求項１に記載の方法。
【請求項３】
現在の測定期間の間の信号パラメータ測定値の数を決定することと、
信号パラメータ測定値の前記数が最小測定しきい値を超えることに応答して、前記基地局に前記有効な信号パラメータを送信することと
をさらに含む、請求項２に記載の方法。
【請求項４】
信号パラメータ測定値の前記数が前記最小測定しきい値を超えていないことを決定することと、
信号パラメータ測定値の前記数が前記最小測定しきい値を超えていないことに応答して、前記最後の有効な信号パラメータを送信することと
をさらに含む、請求項３に記載の方法。
【請求項５】
信号パラメータ測定値の前記数が前記最小測定しきい値を超えていないことを決定することと、
前記基地局へのインジケーションを送信することと
をさらに含む、ここにおいて、信号パラメータ測定値の前記数が前記最小測定しきい値を超えていないことを前記インジケーションが前記基地局に通知する、請求項３に記載の方法。
【請求項６】
前記インジケーションが、
明示的ビットインジケータ、
暗示的インジケータ、または
所定の信号パラメータ値
のうちの１つを含む、請求項５に記載の方法。
【請求項７】
ワイヤレス通信システム上での競合ベースの通信の少なくとも一部分のために使用される無認可無線周波数スペクトル帯域において、ワイヤレス通信のために構成されるユーザ機器であって、
競合ベースの周波数スペクトル上の基準信号を受信するための手段と、
前記基準信号に基づいて信号パラメータを測定するための手段と、
前記基準信号の品質を推定するための手段と、
前記基準信号の前記品質が所定の品質しきい値を超えていると決定するための手段と、
前記基準信号の前記品質が前記所定の品質しきい値を超えているとの前記決定に応答して実行可能な、基地局に報告するために前記信号パラメータを処理するための手段と
を備える、ユーザ機器。
【請求項８】
処理するための前記手段が、
最後の有効な信号パラメータ以降の時間期間を決定するための手段と、
前記時間期間が最小しきい値を超えることに応答して、有効な信号パラメータとして前記信号パラメータを識別するための手段と
を含む、請求項７に記載のユーザ機器。
【請求項９】
現在の測定期間の間の信号パラメータ測定値の数を決定するための手段と、
信号パラメータ測定値の前記数が最小測定しきい値を超えることに応答して、前記基地局に前記有効な信号パラメータを送信するための手段と
をさらに含む、請求項８に記載のユーザ機器。
【請求項１０】
信号パラメータ測定値の前記数が前記最小測定しきい値を超えていないことを決定するための手段と、
信号パラメータ測定値の前記数が前記最小測定しきい値を超えていないことに応答して、前記最後の有効な信号パラメータを送信するための手段と
をさらに含む、請求項９に記載のユーザ機器。
【請求項１１】
信号パラメータ測定値の前記数が前記最小測定しきい値を超えていないことを決定するための手段と、
前記基地局へのインジケーションを送信するための手段と
をさらに含む、ここにおいて、信号パラメータ測定値の前記数が前記最小測定しきい値を超えていないことを前記インジケーションが前記基地局に通知する、請求項９に記載のユーザ機器。
【請求項１２】
前記インジケーションが、
明示的ビットインジケータ、
暗示的インジケータ、または
所定の信号パラメータ値
のうちの１つを含む、請求項１１に記載のユーザ機器。
【請求項１３】
プログラムコードを記録した非一時的コンピュータ可読媒体であって、前記プログラムコードが、請求項１乃至６のうちのいずれか１つのステップを行うように配列される、非一時的コンピュータ可読媒体。
【手続補正２】
【補正対象書類名】明細書
【補正対象項目名】０１０３
【補正方法】変更
【補正の内容】
【０１０３】
[00113]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
［Ｃ１］
ワイヤレス通信の方法であって、
競合ベースの周波数スペクトル上の基準信号を受信することと、
前記基準信号に基づいて信号パラメータを測定することと、
前記基準信号の品質を推定することと、
前記品質を前記推定することに応答して、基地局に報告するために前記信号パラメータを処理することと
を備える、方法。
［Ｃ２］
前記処理することが、
最後の有効な信号パラメータ以降の時間期間を決定することと、
前記時間期間が最小しきい値を超えることに応答して、有効な信号パラメータとして前記信号パラメータを識別することと
を含む、Ｃ１に記載の方法。
［Ｃ３］
現在の測定期間の間の信号パラメータ測定値の数を決定することと、
信号パラメータ測定値の前記数が最小測定しきい値を超えることに応答して、前記基地局に前記有効な信号パラメータを送信することと
をさらに含む、Ｃ２に記載の方法。
［Ｃ４］
信号パラメータ測定値の前記数が前記最小測定しきい値を超えていないことを決定することと、
信号パラメータ測定値の前記数が前記最小測定しきい値を超えていないことに応答して、前記最後の有効な信号パラメータを送信することと
をさらに含む、Ｃ３に記載の方法。
［Ｃ５］
信号パラメータ測定値の前記数が前記最小測定しきい値を超えていないことを決定することと、
前記基地局へのインジケーションを送信することとをさらに含む、ここにおいて、信号パラメータ測定値の前記数が前記最小測定しきい値を超えていないことを前記インジケーションが前記基地局に通知する、Ｃ３に記載の方法。
［Ｃ６］
前記インジケーションが、
明示的ビットインジケータ、
暗示的インジケータ、または
所定の信号パラメータ値
のうちの１つを含む、Ｃ５に記載の方法。
［Ｃ７］
ワイヤレス通信のために構成される装置であって、
競合ベースの周波数スペクトル上の基準信号を受信するための手段と、
前記基準信号に基づいて信号パラメータを測定するための手段と、
前記基準信号の品質を推定するための手段と、
前記品質の前記推定に応答して実行可能な、基地局に報告するために前記信号パラメータを処理するための手段と
を備える、装置。
［Ｃ８］
処理するための前記手段が、
最後の有効な信号パラメータ以降の時間期間を決定するための手段と、
前記時間期間が最小しきい値を超えることに応答して、有効な信号パラメータとして前記信号パラメータを識別するための手段と
を含む、Ｃ７に記載の装置。
［Ｃ９］
現在の測定期間の間の信号パラメータ測定値の数を決定するための手段と、
信号パラメータ測定値の前記数が最小測定しきい値を超えることに応答して、前記基地局に前記有効な信号パラメータを送信するための手段と
をさらに含む、Ｃ８に記載の装置。
［Ｃ１０］
信号パラメータ測定値の前記数が前記最小測定しきい値を超えていないことを決定するための手段と、
信号パラメータ測定値の前記数が前記最小測定しきい値を超えていないことに応答して、前記最後の有効な信号パラメータを送信するための手段と
をさらに含む、Ｃ９に記載の装置。
［Ｃ１１］
信号パラメータ測定値の前記数が前記最小測定しきい値を超えていないことを決定するための手段と、
前記基地局へのインジケーションを送信するための手段とをさらに含む、ここにおいて、信号パラメータ測定値の前記数が前記最小測定しきい値を超えていないことを前記インジケーションが前記基地局に通知する、Ｃ９に記載の装置。
［Ｃ１２］
前記インジケーションが、
明示的ビットインジケータ、
暗示的インジケータ、または
所定の信号パラメータ値
のうちの１つを含む、Ｃ１１に記載の装置。
［Ｃ１３］
プログラムコードを記録した非一時的コンピュータ可読媒体であって、前記プログラムコードが、
競合ベースの周波数スペクトル上の基準信号をコンピュータに受信させるためのプログラムコードと、
前記基準信号に基づいて信号パラメータを前記コンピュータに測定させるためのプログラムコードと、
前記基準信号の品質を前記コンピュータに推定させるためのプログラムコードと、
前記品質を前記コンピュータに推定させるための前記プログラムコードの実行に応答して実行可能な、基地局に報告するために前記信号パラメータを前記コンピュータに処理させるためのプログラムコードと
を備える、非一時的コンピュータ可読媒体。
［Ｃ１４］
前記コンピュータに処理させるための前記プログラムコードが
最後の有効な信号パラメータ以降の時間期間を前記コンピュータに決定させるためのプログラムコードと、
前記時間期間が最小しきい値を超えることに応答して、有効な信号パラメータとして前記信号パラメータを前記コンピュータに識別させるためのプログラムコードと
を含む、Ｃ１３に記載の非一時的コンピュータ可読媒体。
［Ｃ１５］
現在の測定期間の間の信号パラメータ測定値の数を前記コンピュータに決定させるためのプログラムコードと、
信号パラメータ測定値の前記数が最小測定しきい値を超えることに応答して、前記基地局に前記有効な信号パラメータを前記コンピュータに送信させるためのプログラムコードと
をさらに含む、Ｃ１４に記載の非一時的コンピュータ可読媒体。
［Ｃ１６］
信号パラメータ測定値の前記数が前記最小測定しきい値を超えていないことを前記コンピュータに決定させるためのプログラムコードと、
信号パラメータ測定値の前記数が前記最小測定しきい値を超えていないことに応答して、前記最後の有効な信号パラメータを前記コンピュータに送信させるためのプログラムコードと
をさらに含む、Ｃ１５に記載の非一時的コンピュータ可読媒体。
［Ｃ１７］
信号パラメータ測定値の前記数が前記最小測定しきい値を超えていないことを前記コンピュータに決定させるためのプログラムコードと、
前記基地局へのインジケーションを前記コンピュータに送信させるためのプログラムコードとをさらに含む、ここにおいて、信号パラメータ測定値の前記数が前記最小測定しきい値を超えていないことを前記インジケーションが前記基地局に通知する、Ｃ１５に記載の非一時的コンピュータ可読媒体。
［Ｃ１８］
前記インジケーションが、
明示的ビットインジケータ、
暗示的インジケータ、または
所定の信号パラメータ値
のうちの１つを含む、Ｃ１７に記載の非一時的コンピュータ可読媒体。
［Ｃ１９］
ワイヤレス通信のために構成される装置であって、
少なくとも１つのプロセッサと、
前記少なくとも１つのプロセッサに結合されるメモリと
を備え、
ここにおいて、前記少なくとも１つのプロセッサが、
競合ベースの周波数スペクトル上の基準信号を受信し、
前記基準信号に基づいて信号パラメータを測定し、
前記基準信号の品質を推定し、
前記品質の推定に応答して、基地局に報告するために前記信号パラメータを処理するように構成される、装置。
［Ｃ２０］
処理するための前記少なくとも１つのプロセッサの前記構成が、
最後の有効な信号パラメータ以降の時間期間を決定し、
前記時間期間が最小しきい値を超えることに応答して、有効な信号パラメータとして前記信号パラメータを識別する、前記少なくとも１つのプロセッサの構成を含む、Ｃ１９に記載の装置。
［Ｃ２１］
現在の測定期間の間の信号パラメータ測定値の数を決定し、
信号パラメータ測定値の前記数が最小測定しきい値を超えることに応答して、前記基地局に前記有効な信号パラメータを送信する、前記少なくとも１つのプロセッサの構成をさらに含む、Ｃ２０に記載の装置。
［Ｃ２２］
信号パラメータ測定値の前記数が前記最小測定しきい値を超えていないことを決定し、  信号パラメータ測定値の前記数が前記最小測定しきい値を超えていないことに応答して、前記最後の有効な信号パラメータを送信する、前記少なくとも１つのプロセッサの構成をさらに含む、Ｃ２１に記載の装置。
［Ｃ２３］
信号パラメータ測定値の前記数が前記最小測定しきい値を超えていないことを決定し、  前記基地局へのインジケーションを送信する、ここにおいて、信号パラメータ測定値の前記数が前記最小測定しきい値を超えていないことを前記インジケーションが前記基地局に通知する、前記少なくとも１つのプロセッサの構成をさらに含む、Ｃ２１に記載の装置。
［Ｃ２４］
前記インジケーションが、
明示的ビットインジケータ、
暗示的インジケータ、または
所定の信号パラメータ値
のうちの１つを含む、Ｃ２３に記載の装置。